(57)【要約】【課題】潤滑性を高め、長寿命で、信頼性に優れたとスクロール圧縮機を提供する。【解決手段】本体ケース１内に冷媒の吸入、圧縮、吐出を行う圧縮機構部（図示せず）と、前記圧縮機構部を駆動するモータ部５を収納し、前記圧縮機構部は、前記モータ部５によって駆動される旋回スクロール（図示せず）と、前記旋回スクロールと組み合わされる固定スクロール（図示せず）とを備え、前記モータ部５は、回転子７とバランスウエイト４３を備えた駆動軸２４と、前記回転子７に対向して配された固定子６を備え、前記バランスウエイト４３に、前記本体ケース１内の冷媒に軸方向の流れを発生させるためのハネ形状５１を形成したもので、バランスウエイト４３が回転することで本体ケース１内の冷媒に軸方向の流れが発生し、各摺動部及び圧縮機構部４における潤滑性を高め、長寿命で、信頼性を向上させることができる。【選択図】図２
2013064341.tif 000002
【特許請求の範囲】
【請求項１】
本体ケース内に冷媒の吸入、圧縮、吐出を行う圧縮機構部と、前記圧縮機構部を駆動するためのモータ部を収納し、前記圧縮機構部は、前記モータ部によって駆動される旋回スクロールと、前記旋回スクロールと組み合わされる固定スクロールとを備え、前記モータ部は、回転子とバランスウエイトを備えた駆動軸と、前記回転子に対向して配された固定子を備え、前記バランスウエイトに、前記本体ケース内の冷媒に軸方向の流れを発生させるためのハネ形状を形成したことを特徴とするスクロール圧縮機。
【請求項２】
本体ケース内に潤滑油を貯める貯油部を設け、バランスウエイトの回転によって発生した冷媒の流れによって、モータ部と回転子間の潤滑油を、前記貯油部に導入することを特徴とした請求項１に記載のスクロール圧縮機。
【請求項３】
ハネ形状を、バランスウエイトの鋳造時に一体に形成した請求項１又は２に記載のスクロール圧縮機。
【発明の詳細な説明】
【技術分野】
【０００１】
本発明は、空調及び冷凍装置に適用されるスクロール圧縮機に関するものである。
【背景技術】
【０００２】
従来この種のスクロール圧縮機は、本体ケース内の貯油部に溜まった潤滑油をポンプ等によって給油経路を通じて圧縮機構部に導入し、各摺動部及び圧縮機構部を潤滑している（例えば、特許文献１参照）。
【先行技術文献】
【特許文献】
【０００３】
【特許文献１】特開２００６−３２９１４１号公報
【発明の概要】
【発明が解決しようとする課題】
【０００４】
しかしながら、前記従来のスクロール圧縮機の構成では、スクロール圧縮機の高回転時には、モータ部を通じて貯油部に導入される潤滑油量が減少するという課題を有していた。
【０００５】
本発明は、前記従来の課題を解決するもので、前記貯油部に導入される潤滑油量を増加させて、本体ケース内の各摺動部及び圧縮機構部における潤滑性を高め、長寿命で、高回転時の信頼性を確保したスクロール圧縮機を提供することを目的とする。
【課題を解決するための手段】
【０００６】
前記従来の課題を解決するために、本発明のスクロール圧縮機は、本体ケース内に冷媒の吸入、圧縮、吐出を行う圧縮機構部と、前記圧縮機構部を駆動するためのモータ部を収納し、前記圧縮機構部は、前記モータ部によって駆動される旋回スクロールと、前記旋回スクロールと組み合わされる固定スクロールとを備え、前記モータ部は、回転子とバランスウエイトを備えた駆動軸と、前記回転子に対向して配された固定子を備え、前記バランスウエイトに、前記本体ケース内の冷媒に軸方向の流れを発生させるためのハネ形状を形成したもので、バランスウエイトが回転することで本体ケース内の冷媒に軸方向の流れが発生し、本体ケース内の各摺動部及び圧縮機構部における潤滑性を高め、長寿命で、高回転時の信頼性を確保したスクロール圧縮機を提供することができる。
【発明の効果】
【０００７】
本発明の電動圧縮機は、本体ケース内の各摺動部及び圧縮機構部における潤滑性を高め、長寿命化、高回転化を図ることができる。
【図面の簡単な説明】
【０００８】
【図１】本発明の実施の形態１におけるスクロール圧縮機の縦断面図
【図２】同スクロール圧縮機の要部拡大図
【図３】同スクロール圧縮機の要部側面図
【図４】同スクロール圧縮機の回転子の斜視図
【発明を実施するための形態】
【０００９】
第１の発明は、本体ケース内に冷媒の吸入、圧縮、吐出を行う圧縮機構部と、前記圧縮機構部を駆動するためのモータ部を収納し、前記圧縮機構部は、前記モータ部によって駆動される旋回スクロールと、前記旋回スクロールと組み合わされる固定スクロールとを備
え、前記モータ部は、回転子とバランスウエイトを備えた駆動軸と、前記回転子に対向して配された固定子を備え、前記バランスウエイトに、前記本体ケース内の冷媒に軸方向の流れを発生させるためのハネ形状を形成したもので、バランスウエイトが回転することで本体ケース内の冷媒に軸方向の流れが発生し、本体ケース内の各摺動部及び圧縮機構部における潤滑性を高め、長寿命で、高回転時の信頼性を確保したスクロール圧縮機を提供することができる。
【００１０】
第２の発明は、特に、第１の発明の本体ケース内に潤滑油を貯める貯油部を設け、バランスウエイトの回転によって発生した冷媒の流れによって、モータ部と回転子間の潤滑油を、前記貯油部に導入するもので、貯油部に導入される潤滑油量を増やして本体ケース内の各摺動部及び圧縮機構部における潤滑性を高めることができる。
【００１１】
第３の発明は、特に、第１又は第２の発明のハネ形状を、バランスウエイトの鋳造時に一体に形成したもので、生産コストを抑えることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１におけるスクロール圧縮機の縦断面図、図２は、同スクロール圧縮機の要部拡大図、図３は、同スクロール圧縮機の要部側面図、図４は、同スクロール圧縮機の回転子の斜視図である。
【００１４】
図１において、本体ケース１内に圧縮機構部４及び圧縮機構部４を駆動するモータ部５を内蔵し、モータ部５は、密封端子４８に外部から接続された図示しないモータ駆動回路部によって駆動される。
【００１５】
圧縮機構部４は、モータ部５によって駆動される旋回スクロール２２と、旋回スクロール２２と組み合わされる固定スクロール２１とを備えている。
【００１６】
旋回スクロール２２は、モータ部５の駆動軸２４に連結され、モータ部５は、本体ケース１の内周に固定された固定子６と、駆動軸２４に固定された回転子７で構成され、固定子６と回転子７は、間隙を設けて対向配置されている。回転子７には、旋回スクロール２２側にバランスウエイト４２、その対向側にバランスウエイト４３がそれぞれ取り付けられており、旋回スクロール２２と駆動軸２４の回転によって生じるアンバランスを矯正するようになっている。
【００１７】
また、本体ケース１内には、潤滑油１０を貯留する貯油部９を備え、潤滑油１０は、ポンプ２３によって、駆動軸給油経路２５を通じて圧縮機構部４に供給され、本体ケース１内の各摺動部及び圧縮機構部４を潤滑する構成となっている。
【００１８】
図３は、駆動軸２４と、駆動軸２４に固定された回転子７及びバランスウエイト４２、４３の側面図で、図４はその斜視図である。バランスウエイト４３の端部、外周部にはハネ形状５１が設けられている。
【００１９】
以上のように構成された本実施の形態におけるスクロール圧縮機について、以下その動作、作用を説明する。
【００２０】
スクロール圧縮機の運転時、バランスウエイト４３のハネ形状５１の回転によって発生した冷媒ガスの流れによって、モータ部５の固定子６と回転子７間の間隙に滞留する潤滑
油を図２の矢印方向に導入し、貯油部９に導入される潤滑油量を増やすことができる。これによって本体ケース１内の各摺動部及び圧縮機構部４における潤滑性を高め、スクロール圧縮機の長寿命、高回転時の信頼性を確保することができる。
【００２１】
なお、ハネ形状５１を、バランスウエイト４３の鋳造時に、それに一体に形成するようにすれば、生産コストも抑えることができる。
【産業上の利用可能性】
【００２２】
以上のように、本発明にかかるスクロール圧縮機は、圧縮機内部における潤滑性を高め、長寿命、高回転時の信頼性を確保することが可能となるので、空調及び冷凍装置以外の電動スクロール圧縮機等の用途にも適用できる。
【符号の説明】
【００２３】
１  本体ケース
４  圧縮機構部
５  モータ部
６  固定子
７  回転子
９  貯油部
１０  潤滑油
２１  固定スクロール
２２  旋回スクロール
２３  ポンプ
２４  駆動軸
２５  駆動軸給油経路
４２、４３  バランスウエイト
４８  密封端子
５１  ハネ形状
【図１】
2013064341.tif 000003
【図２】
2013064341.tif 000004
【図３】
2013064341.tif 000005
【図４】
2013064341.tif 000006